(57)【要約】  本発明は、ソケット（１０）及びプラグ（１２）を備えるインタフェース（８）に関する。ソケット（１０）は、本体（１１）と２つの同軸ケーブル（２２）とを備え、各同軸ケーブルは、コア（２２Ａ）と、コア（２２Ａ）と同軸の編紐（２２Ｃ）と、コア（２２Ａ）及び編紐（２２Ｃ）間にある電気的な絶縁体（２２Ｂ）と、を備える。各同軸ケーブル（２２）は、受信機のプリント基板に接続される第１端部と第２端部との間で延在し、この第２端部において、編紐（２２Ｃ）が本体（１１）に電気的に接続され、かつ、コア（２２Ａ）が本体に形成された開口部（２１Ｂ）を通してアクセス可能である。プラグ（１２）は、本体（２７）及び少なくとも２つの接触器（３６）を備え、そのため、プラグ（１２）及びソケット（１０）を接続すると、各接触器（３６）は、開口部（２１Ｂ）の反対側に配置され、そのため、各ケーブル（２２）のコア（２２Ａ）は、上記接触器（３６）に電気的に接続され、各ケーブル（２２）の編紐（２２Ｃ）は、本体（１１）を介してプラグの本体（２７）に電気的に接続される。
2013529363.tif 000002
【特許請求の範囲】
【請求項１】
無線受信機のためのアンテナのインタフェース（８）であって、前記受信機に接続するように設計されたソケット（１０）と、前記アンテナに接続するように設計されたプラグ（１２）と、を備えるタイプのインタフェースにおいて、
−  前記ソケット（１０）が、本体（１１）及び２つの同軸ケーブル（２２）を備え、前記同軸ケーブルそれぞれが、コア（２２Ａ）と、コア（２２Ａ）と同軸の導電性編紐（２２Ｃ）と、前記コア（２２Ａ）と前記編紐（２２Ｃ）との間にあり、これらを電気的に絶縁する電気的絶縁体（２２Ｂ）と、を備え、
−  前記同軸ケーブル（２２）それぞれが、前記受信機のプリント基板に接続される第１端部と第２端部との間で延在し、前記第２端部において、前記編紐（２２Ｃ）が、前記ソケット（１０）の前記本体（１１）に電気的に接続され、前記第２端部において、前記コア（２２Ａ）が、前記ソケット（１０）の前記本体（１１）に形成された開口部（２１Ｂ）それぞれを通ってアクセス可能であり、
−  前記プラグ（１２）が、本体（２７）と少なくとも２つのピストン状接触器（３６）とを備え、そのため、前記プラグ（１２）及び前記ソケット（１０）を接続すると、前記接触器（３６）それぞれが、前記開口部（２１Ｂ）の反対側に配置され、そのため、前記ケーブル（２２）それぞれの前記コア（２２Ａ）が、前記接触器（３６）に電気的に接続され、前記ケーブル（２２）それぞれの前記編紐（２２Ｃ）が、前記ソケット（１０）の前記本体（１１）を介して前記プラグの前記本体（２７）に電気的に接続され、
−  前記ピストン状接触器（３６）それぞれが、前記アンテナの前記プリント基板に接続される静止部分（３７）と、前記静止部分（３７）に対する移動部分（３８）と、を備え、前記移動部分が、前記ソケット（１０）を前記プラグ（１２）と接続すると前記コア（２２Ａ）それぞれと協働するように設計された接触素子（４１）を有し、
−  前記プラグ（１２）が、前記ピストン状接触器（３６）の接触素子（４１）を支持する可撓性薄膜（４２）を備えることを特徴とするインタフェース。
【請求項２】
前記ピストン状接触器について、
−  前記静止部分（３７）が、電気的に絶縁する中空のシリンダ状素子（３７Ａ）を備え、前記シリンダ状素子が、前記移動部分（３８）が軸方向で移動するピストン本体を形成し、
−  前記移動部分（３８）の前記接触素子（４１）が、第１案内部分（４１Ａ）と、ソケット（１０）を前記プラグ（１２）に接続すると前記コア（２２Ａ）それぞれと協働するように設計された第２接触部分（４１Ｂ）と、を備え、
−  前記第１案内部分（４１Ａ）が、直径が中空の前記シリンダ状素子（３７Ａ）の内径とほぼ等しいほぼシリンダ状であり、そのため、中空の前記シリンダ状素子（３７Ａ）の内壁部と遊びを有することなく協働することを特徴とする請求項１に記載のインタフェース。
【請求項３】
−  前記ソケット（１０）が、開口部（２１Ｂ）が形成された底壁部（２１Ａ）を備え、
−  前記プラグ（１２）が、前記ソケット（１０）を前記プラグ（１２）に接続すると前記底壁部（２１Ａ）が当接する行程端停止部（３３Ａ）を備え、
−  前記行程端停止部（３３Ａ）が、前記ソケット（１０）を前記プラグ（１２）に接続したときに前記薄膜（４２）と前記底壁部（２１Ａ）との間に自由空間（４６）があるままとなるように設けられていることを特徴とする請求項２に記載のインタフェース。
【請求項４】
前記ピストン状接触器それぞれ、特に中空の前記シリンダ状素子（３７Ａ）が、好ましくは４５ｄＢ未満のクロストークのために、前記ピストン状接触器を通る信号間のクロストークを最小化するようにサイズ付けされていることを特徴とする請求項２または３に記載のインタフェース。
【請求項５】
前記ソケット（１０）が、好ましくはネジ山が付され、そのため前記受信機の相補的な開口部内に螺合されるまたは止めナットに螺合される第１部分（１４）と、前記プラグの相補的なハウジング（３３）内に螺合するように設計された第２ネジ山付部分（１６）と、を備え、
前記第１部分（１４）及び第２ネジ山付部分（１６）が、フランジ（１８）によって軸方向に離間していることを特徴とする請求項１から４のいずれか１項に記載のインタフェース。
【請求項６】
前記フランジ（１８）が、前記第１部分（１４）側において、前記受信機の相補的な前記開口部の輪郭と協働するように設計された封止リング（２０）を支持することを特徴とする請求項５に記載のインタフェース。
【請求項７】
前記プラグ（１２）の前記本体（２７）が、全体的に軸（Ｘ’）回りの回転体形状を有し、
前記プラグ（１２）が、前記本体（２７）に対して前記軸（Ｘ’）回りで回転自在なノブ（２８）を備え、
前記ノブ（２８）が、全体的に中空のシリンダ状であり、内側に向けてテーパ状をなし、前記ソケット（１０）の前記第２ネジ山付部分（１６）の相補的な前記ハウジング（３３）を区画することを特徴とする請求項５または６に記載のインタフェース。
【請求項８】
前記本体（２７）と前記ノブ（２８）との間において、前記ノブ（２８）の前記ハウジング（３３）には、封止リング（３４）が配置されていることを特徴とする請求項７に記載のインタフェース。
【請求項９】
前記ソケット（１０）及び前記プラグ（１２）が、失敗しない保証をするデバイスを形成する相補的な手段（３８）を備え、前記手段が、前記プラグ（１２）及び前記ソケット（１０）を接続すると、前記接触器（３６）が前記コア（２２Ａ）それぞれと協働することを確実にするように設計されていることを特徴とする請求項１から８のいずれか１項に記載のインタフェース。
【発明の詳細な説明】
【技術分野】
【０００１】
本発明は、無線受信機のためのアンテナインタフェースに関する。
【背景技術】
【０００２】
先端技術における受信機に接続するように設計されたソケットとアンテナに接続するように設計されたプラグとを備えるタイプの無線受信機のためのアンテナインタフェースは、従来知られている。
【０００３】
このようなインタフェースは、主として、単一バンド受信機、すなわち、単一の周波数帯を送信及び／または受信することが可能な受信機のために使用される。
【発明の概要】
【発明が解決しようとする課題】
【０００４】
デュアルバンド受信機、すなわち、２つの別個の周波数帯を送信及び／または受信することが可能な受信機の場合、２つの別個のインタフェースソケットを用意する必要がある。しかしながら、２つのソケットを使用することは、比較的嵩張り、受信機を最小化することに対して特に不利である。
【０００５】
本発明は、特に、アンテナをデュアルバンド受信機に接続することを可能としながら接続手段の嵩張りを制限することによって、この欠点を解決することを目的としている。
【課題を解決するための手段】
【０００６】
そのために、本発明は、特に、無線受信機のためのアンテナインタフェースであって、受信機に接続するように設計されたソケットと、アンテナに接続するように設計されたプラグと、を備えるタイプのアンテナインタフェースに関し、このアンテナインタフェースは、
−  ソケットが、本体及び２つの同軸ケーブルを備え、同軸ケーブルそれぞれが、コアと、コアと同軸の編紐と、コアと編紐との間にあり、これらを電気的に絶縁する電気的絶縁体と、を備え、
−  同軸ケーブルそれぞれが、受信機のプリント基板に接続される第１端部と第２端部との間で延在し、第２端部において、編紐が、本体に電気的に接続され、また、第２端部において、コアが、ソケットの本体に形成された開口部それぞれを通ってアクセス可能であり、
−  プラグが、本体と少なくとも２つのピストン状接触器とを備え、そのため、プラグ及びソケットを接続すると、接触器それぞれが、開口部の反対側に配置され、そのため、ケーブルそれぞれのコアが、接触器に電気的に接続され、ケーブルそれぞれの編紐が、ソケットの本体を介してプラグの本体に電気的に接続され、
−  ピストン状接触器それぞれが、アンテナのプリント基板に接続される静止部分と、静止部分に対する移動部分と、を備え、移動部分が、ソケットをプラグと接続するとコアそれぞれと協働するように設計された接触素子を有し、
−  プラグが、ピストン状接触器の接触素子を支持する可撓性薄膜を備える。
【０００７】
従来のアンテナインタフェースと異なり、本発明のインタフェースは、（ケーブルのコアが接続される接触器によって形成される）２つのホットスポット(hot spot)と、（ケーブルの編紐が接続されるプラグの本体によって形成される）基準接地と、を有する。このようにして、このインタフェースは、２つの別個の周波数で動作し、これら２つの周波数帯でステーションから送信及び／または受信することを可能とする。したがって、本発明におけるインタフェースは、アンテナをデュアルバンド受信機に接続するのに特に適している。
【０００８】
本発明において、アンテナをデュアルバンド受信機に接続することは、単一のインタフェースを用いてなされる。しかしながら、単一のインタフェースは、最新のものにおいて２つのインタフェースを必要とすることよりも、嵩張らずかつコストがかからない。
【０００９】
さらに、本発明は、単一のコーリニアアンテナ(collinear antenna)を使用することを可能とし、このコーリニアアンテナは、受信機によって両周波数帯を同時に送信及び／受信することを可能とし、これは、最新のものでは可能ではなかった。実際には、最新のものにおいて、２つのソケットを使用することは、２つのアンテナそれぞれを使用することを必要とし、それぞれは、所定の周波数帯を送信し、各アンテナは、他方のアンテナの信号をスクランブルする危険性がある。
【００１０】
さらに、注意することは、本発明のインタフェースが、例えば湿潤環境など攻撃的な環境で使用するのに適していることである。実際には、薄膜は、封止機能を発揮し、特に、コネクタ及びケーブルを湿気から保護する。
【００１１】
また、本発明におけるインタフェースは、単独でまたは技術的に可能な組み合わせにしたがって考慮した以下の特徴のうちの１以上を備えてもよく、これら特徴は、
−  ピストン状接触器について、静止部分が、電気的に絶縁する中空のシリンダ状素子を備え、シリンダ状素子が、移動部分が軸方向で移動するピストン本体を形成し、移動部分の接触素子が、第１案内部分と、ソケットをプラグに接続するとコアそれぞれと協働するように設計された第２接触部分と、を備え、第１案内部分が、直径が中空のシリンダ状素子の内径とほぼ等しいほぼシリンダ状であり、そのため、中空のシリンダ状素子の内壁部と遊びを有することなく協働すること、
−  ソケットが、開口部が形成された底壁部を備え、プラグが、ソケットをプラグに接続すると底壁部が当接する行程端停止部(end-of-travel stop)を備え、行程端停止部が、ソケットをプラグに接続したときに薄膜と底壁部との間に自由空間があるままとなるように設けられていること、
−  ピストン状接触器それぞれ、特に中空のシリンダ状素子が、好ましくは４５ｄＢ未満のクロストークのために、ピストン状接触器を通る信号間のクロストークを最小化するようにサイズ付けされていること、
−  ソケットが、好ましくはネジ山が付され、そのため受信機の相補的な開口部内に螺合されるまたは止めナットに螺合される第１部分と、プラグの相補的なハウジング内に螺合するように設計された第２ネジ山付部分と、を備え、第１部分及び第２ネジ山付部分が、フランジによって軸方向に離間していること、
−  フランジが、第１部分側において、受信機の相補的な開口部の輪郭と協働するように設計された封止リングを支持すること、
−  プラグの本体が、全体的に軸回りの回転体形状を有し、プラグが、本体に対して軸回りで回転自在なノブを備え、ノブが、全体的に中空のシリンダ状であり、内側に向けてテーパ状をなし、ソケットの第２ネジ山付部分の相補的なハウジングを区画すること、
−  インタフェースが、本体とノブとの間において、ノブのハウジングに配置される封止リングを備えること、
−  ソケット及びプラグが、失敗しない保証をするデバイスを形成する相補的な手段を備え、手段が、プラグ及びソケットを接続すると、接触器がコアそれぞれと協働することを確実にするように設計されていること、
である。
【００１２】
本発明は、単なる例として提供されかつ添付の図面を参照してなされる以下の説明を読むと良好に理解できるだろう。
【図面の簡単な説明】
【００１３】
【図１】本発明の１つの例示的な実施形態におけるアンテナインタフェースを示す軸方向部分断面図である。
【図２】図１のアンテナインタフェースのソケットを示す斜視図である。
【図３】図２のソケットを示す断面図である。
【図４】図１のソケットを示す横断面図である。
【図５】図１のインタフェースのプラグを示す斜視図である。
【図６】図５のプラグを示す軸方向部分断面図である。
【図７】図５のプラグを示す横断面図である。
【発明を実施するための形態】
【００１４】
図１は、本発明の１つの例示的な実施形態におけるアンテナインタフェース８を示す。このようなインタフェース８は、特に、例えばデュアルバンドの戦術無線受信機などの無線受信機に備えられており、デュアルバンドアンテナに接続される。
【００１５】
インタフェース８は、特に図２から図４に示すソケット１０と、特に図５から図７に示すプラグ１２と、を備え、このプラグは、ソケット１０と協働するように構成され、そのため、図１に示すようなインタフェース８を形成する。
【００１６】
ソケット１０は、軸Ｘ回りの回転体の全体形状を有する本体１１を備える。本体１１は、ほぼシリンダ状である第１部分１４及び第２部分１６と、第１及び第２部分１４及び１６を軸方向に分離するフランジ１８と、を備える。
【００１７】
第１部分１４は、無線受信機（図示略）の相補的な開口部内に螺合するように設計されたネジ山付の外面を有する。そして、フランジ１８は、特に、上記螺合の行程端停止部を形成する。
【００１８】
注意することは、ネジ山付の外面が、無線受信機に固定するための特に小型な固定手段であって軸方向の嵩張りを低減しかつ十分に強固である固定手段を形成する。
【００１９】
有利には、図３において視認可能な封止リング２０は、フランジ１８に支持されている。このような封止リング２０は、受信機の相補的な開口部の輪郭と協働するように設計されており、そのため、受信機の封止を確実にする。
【００２０】
あるいは、第１部分１４は、無線受信機に固定するための他の手段を備えてもよい。例えば、上記第１部分は、止めナット内に螺合するように構成された領域にわたってのみネジ山が付されてもよい。また、第１部分１４は、ネジ山を有しておらず、受信機の相補的な開口部内に強制的に入れられるように構成されてもよい。
【００２１】
第２部分１６は、同様に、ネジ山付の外面を有する。好ましくは、第２部分１６は、第１部分１４の直径よりも大きい直径を有する。
【００２２】
有利には、ソケット１０の直径、特にフランジ１８の直径は、２ｃｍ未満である。すなわち、ソケット１０は、従来のインタフェースのソケットよりも小さい。
【００２３】
第２部分１６は、底壁部２１Ａによって軸方向に区画される軸方向キャビティ２１を備える。
【００２４】
また、ソケット１０は、受信機の無線カードに接続するように設計された少なくとも２つの別個の同軸ケーブル２２を備える。このようにして、上記ソケットは、上記ラジオカードと直接機械的に結合させることを可能とする。
【００２５】
同軸ケーブル２２は、図１においてより詳細に示される。従来より、各同軸ケーブル２２は、電気的な絶縁材料２２Ｂで囲まれた中央の導電コア２２Ａを備え、この絶縁材料は、コアと同軸に位置する導電編紐２２Ｃ囲まれる。編紐２２Ｃは、最後に、好ましくはソケット１０に固定される絶縁シース２２Ｄにより囲まれる。
【００２６】
各ケーブル２２は、第１部分１４を越えてソケット１０の軸方向外側に延在する第１端部を備え、この第１端部は、受信機の無線カードに接続するように設計された従来のコネクタ（図示略）を備える。また、各ケーブル２２は、底壁部２１Ａのところまでソケット１０を通して延在する第１端部とは反対側の第２端部を備える。
【００２７】
各ケーブル２２の第２端部は、図１を参照して説明される接続素子２３を用いてソケット１０に接続される。
【００２８】
接続素子２３は、ケーブル２２それぞれの編紐２２Ｃと協働するように設計されたスリーブの形態にある第１導電部分２３Ａを備え、上記第１部分２３Ａは、ソケット１０の本体１１の貫通孔部２４内で遊びなく収容されている。このようにして、編紐２２Ｃは、接続素子２３の上記第１部分２３Ａを用いて本体１１に電気的に接続される。
【００２９】
また、接続素子２３は、対応するケーブル２２のコア２２Ａと協働するように設計された第２導電部分２３Ｂを備える。例えば、コア２２Ａは、第２部分の長手方向開口部内に挿入されている。好ましくは、第２部分２３Ｂは、接触板２５を備える。
【００３０】
接続素子２３は、最終的に、第１及び第２導電部分２３Ａ及び２３Ｂの径方向の間に挿入される電気的な絶縁体２３Ｃを備え、そのため、これらを互いに電気的に絶縁する。
【００３１】
有利には、Ｏリング封止部２６Ａ、２６Ｂは、第１導電部分２３Ａ及び絶縁体２３Ｃの径方向の間と、絶縁体２３Ｃ及び第２導電部分２３Ｂの径方向の間と、にそれぞれ挿入されている。
【００３２】
底壁部２１Ａは、少なくとも２つの開口部２１Ｂを備え、この開口部を通して、接触板２５は、それぞれアクセス可能となっている。
【００３３】
また、図５から図７でより詳細に示すプラグ１２は、軸Ｘ’回りの回転体の全体形状を有しており、本体２７と、本体２７に対して軸Ｘ’回りで自由に回転するノブ２８と、を備える。
【００３４】
本体２７は、外面において、アンテナ、特に従来のコーリニアアンテナに接続するための手段３０を支持する。
【００３５】
接続手段３０は、例えば、２対（３１）の固定指部３１Ａを備え、一対３１は、互いに正反対に配意されている。各対３１の固定指部３１Ａは、適切に互いに対して間隔をあけており、これら指部３１Ａ間にコーリニアアンテナのプリント基板を受ける。
【００３６】
好ましくは、固定指部３１Ａは、上記指部３１Ａにプリント基板を溶接することを可能とするのに適している。実際には、溶接は、強固でかつ電気的に導電性を有する固定を可能とする。
【００３７】
有利には、固定指部３１Ａは、プラグ１２の本体２７と一体化されている。あるいは、上記指部３１Ａは、特に、指部３１Ａを形成する材料が本体２７を形成する材料を溶接するのにより適している場合に、本体２７に固定されている。
【００３８】
さらに、本体２７は、Ｏリング封止部２９及びフランジ３２を支持する。このようにして、本体２７は、アンテナのスリーブを受けるように構成されており、本体２７は、フランジ３２のところまで嵌合し、そして、封止デバイス２９は、スリーブと協働する。
【００３９】
ノブ２８は、ほぼ中空のシリンダ状を有してスリーブを形成し、ハウジング３３を区画しており、ソケット１０の第２ネジ部分１６と相補的なテーパ状の内壁部を有する。このように、第２ネジ部分１６をハウジング３３内に挿入し、そして、基部１０の底壁部２１Ａがハウジング３３に設けられた行程端停止部３３Ａと協働するまで、ノブ２８を回転させて、それにより、上記ノブ２８を螺合することによって、ソケット１０のプラグ１２との接続をする。
【００４０】
好ましくは、封止リング３４は、ハウジング３３の内壁部と本体２７との間でハウジング３３内に配置されており、そのため、ソケット１０とプラグ１２との間の接続部分の封止を確実にする。
【００４１】
また、プラグ１２は、上記プラグ１２の本体２７により支持される少なくとも２つの接触器３６を備える。プラグ１２をソケット１０と接続すると、各接触器３６は、ケーブル２２それぞれのコア２２Ａに接続された板２５であって底壁部２１Ａの開口部２１Ｂそれぞれを通してアクセス可能な板と協働する。さらに、ケーブル２２の編紐２２Ｃは、ソケットの本体１１を用いて、プラグ１２の本体２７と協働する。すなわち、接触器３６は、アンテナの２つのホットスポットを形成する一方で、プラグ１２の本体２７は、基準接地を形成する。
【００４２】
好ましくは、ソケット１０及びプラグ１２は、失敗しない保証をするデバイスを形成する相補的な手段３８を備え、この手段は、プラグ１２及びソケット１０を接続すると各接触器３６が板２５それぞれと協働することを確実にするように設計されている。
【００４３】
例えば、手段３８は、プラグ１２によって支持された突起部４０（図７参照）と、ソケット１０の底壁部２１Ａに形成された相補的なキャビティ４１（図４参照）と、を備える。このようにして、突起部４０は、ノブ２８により保護されており、このノブの高さは、突起部を損傷する性質の素子のためのこの突起部４０への容易なアクセスを形成する。しかしながら、突起部は、替わりに、ソケット１０とプラグ１２に形成された相補的なキャビティ４１とによって保護されてもよい。他の失敗しない保証をする手段を設けてもよい。
【００４４】
有利には、少なくとも１つの接触器３６、好ましくは各接触器３６は、ピストン状接触器であり、このピストン状接触器は、静止部分３７及び静止部分３７に対する移動部分３８と、例えばバネであり、静止部分３７及び移動部分３８の間に配置されて待機位置に向けて移動部分３８を復帰させる弾性部材３９と、を備える。
【００４５】
静止部分３７は、ピストン本体を形成する電気的に絶縁する中空のシリンダ状素子３７Ａを備え、移動部分３８は、このピストン本体内において軸方向に移動するように設計されている。また、静止部分３７は、導電性を有する長手方向素子３７Ｂを備え、この長手方向素子は、弾性部材３９の第１座部を形成する第１端部と、本体２７の外側に延在し、アンテナのプリント基板に接続するように設計された第２端部と、の間で長手方向に延在する。
【００４６】
好ましくは、本体２７は、環状の絶縁支持素子４４を支持し、環状の絶縁支持素子４４それぞれは、長手方向の導電性素子３７Ａそれぞれの第２端部を支持する。これら環状素子４４は、第２端部を特定の位置で維持するように設計されており、そのため、これら第２端部をアンテナのプリント基板に正確に接続することを確実にする。さらに、これら環状素子４４は、第２端部を維持することによって、プラグ１２の正確な堅牢性に関与する。例えば、これら絶縁環状素子４４は、テフロン（登録商標）から形成される。
【００４７】
上述した実施形態において、移動部分３８は、弾性部材３９の第２座部を形成する突出素子４０と、ソケット１０をプラグ１２に接続すると板２５それぞれと協働するように設計された接触素子４１と、を備える。
【００４８】
接触素子４１は、第１案内部分４１Ａ及び第２接触部分４１Ｂを備える。
【００４９】
第１部分４１Ａは、直径がピストン本体を形成する中空のシリンダ状素子３７Ａの内径とほぼ等しいほぼシリンダ状を有しており、そのため、中空のシリンダ状素子３７Ａの内壁部と遊びを有することなく協働する。このようにして、この第１部分４１Ａは、移動部分３８が径方向でずれないことを確実にすることによって、移動部分が中空のシリンダ状素子３７Ａ内をスライドするときに、移動部分３８を軸方向で案内する。このため、これは、特に、突出素子３８と接触素子４１との間の正確な位置合わせを確実にする。
【００５０】
第１部分４１Ａは、突出素子４０と協働する好ましくは平坦面である面を有する。そのために、突出素子４０は、上記平坦面と協働するように設計された頭部４０Ａを有する。好ましくは、頭部４０Ａは、全体的に丸まった形状を有しており、そのため、第１部分４１Ａの平坦面との最適な接触を確実にする。
【００５１】
第２接触部分４１Ｂは、ソケット１０をプラグ１２と接続したときに板２５それぞれと協働するように設計された接触素子４１の頭部を形成する。好ましくは、第２接触部分４１Ｂは、全体的に丸まった形状を有しており、そのため、板２５との最適な接触を確実にする。
【００５２】
また、プラグ１２は、固定ワッシャ４３を用いて本体２７に固定された封止薄膜４２を備える。
【００５３】
封止薄膜４２は、２つの貫通孔部を有し、接触素子３１それぞれは、これら貫通孔部を貫通する。このため、接触素子４１の第１部分４１Ａは、薄膜４２の一側に位置し、第２接触部分４１Ｂは、薄膜４２の他側に配置され、そのため、板２５の接触部にアクセス可能であり、第１及び第２部分４１Ａ、４１Ｂは、直径が対応する開口部の直径とほぼ等しい接続部分４１Ｃによって接続される。
【００５４】
薄膜４２は、比較的可撓性を有しており、そのため、移動部分３８が動くことを可能とする。例えば、薄膜４２は、エラストマ、好ましくはフッ化シリコーンから形成される。
【００５５】
注意することは、固定ワッシャ４３が薄膜４２を軸方向で超えて延在し、そのため、行程端停止部３３Ａを支持することである。このため、ソケット１０をプラグ１２に接続すると、薄膜４２と底壁部２１Ａとの間は、自由空間４６のままとなる。この自由空間４６は、特に、薄膜４２の自由な変形を可能とし、そのため、移動部分３８の動きを阻害しない。
【００５６】
このようなピストン状接触器３６は、移動部分３８の位置を変化可能であるので、その環境に対して単純かつ効率的に適応する。このため、ピストン状接触器は、特に、例えば遊びまたは位置合わせの欠陥を取り上げることによって、順応性のあるかつ単純なソケット１０のプラグ１２への固定を可能とする。このようなピストン状接触器３６は、小型のインタフェースを作り出すことが可能な特に小型である。
【００５７】
さらに、これらピストン状接触器３６は、２つの帯域を効率的に分離することを可能とする。このため、本発明におけるインタフェースは、特に、アンテナが２つの帯域を同時に送信及び／または受信することを可能とする。
【００５８】
実際には、各ピストン状接触器は、２つの帯域間の結合を最小化するようにサイズ付けされており、そのため、一方のチャネルの信号は、他方のチャネルの信号を妨害しない。すなわち、各ピストン状接触器は、上記ピストン状接触器を通る信号間の（すなわち１つの信号の他の信号に対する寄生的な重ね合わせ(parasitic superoposition)）を最小化する、好ましくは４５ｄＢ未満のクロストークとなるようにサイズ付けされている。
【００５９】
特に、電気的に絶縁する中空のシリンダ状素子３７Ａの寸法は、シリンダ状素子の波損失に対する抵抗値を最大化するように選択されており、上記抵抗値は、以下の式、
【数１】
2013529363.tif 000003
で表され、ここで、
Ｒは、絶縁素子３７Ａの波損失に対する抵抗値であり、
εｒは、絶縁素子３７Ａを形成する材料の比誘電率であり、
Ｄｅｘｔは、絶縁素子３７Ａの外径であり、
Ｄｉｎｔは、絶縁素子３７Ａの内径である。
【００６０】
そして、絶縁素子３７Ａの内径及び外径は、全体的に、最適値を評価することが可能なシミュレーションを用いて決定されている。
【００６１】
さらに、第２接触部分４１Ｂに対する薄膜４２の直径の比率は、同様に、２つのチャネル間の分離を最適化するように評価される。
【００６２】
注意することは、本発明におけるインタフェースが最適な封止及び良好な堅牢性を有することである。
【００６３】
さらに、このようなインタフェースを製造するコストは、比較的低い、特に、デュアルバンド受信機のアンテナとの接続をするために必要な最新の２つのインタフェースを製造するよりも低い。
【００６４】
注意することは、本発明が上述した実施形態に限定されず、特許請求の範囲を逸脱しないさまざまな変形例を想定してもよいことである。
【００６５】
特に、ソケット１０は、受信機にあるさまざまな固定手段を備えてもよく、プラグ１２は、アンテナにあるさまざまな接続手段を備えてもよい。
【００６６】
別の変形例において、プラグ１２は、それぞれが移動接触素子４１を支持する２つの別個の封止薄膜４２を備えてもよい。
【００６７】
別の変形例において、インタフェースは、２を越える同軸ケーブル及び対応する接触器を備え、そのため、２以上の無線周波数帯を送信及び／または受信することを可能としてもよい。
【符号の説明】
【００６８】
８  アンテナインタフェース，インタフェース、１０  ソケット，基部、１１  本体、１２  プラグ、１４  第１部分、１６  第２ネジ山付部分，第２部分、１８  フランジ、２０  封止リング、２１Ａ  底壁部、２１Ｂ  開口部、２２  同軸ケーブル，ケーブル、２２Ａ  導電コア，コア、２２Ｂ  電気的絶縁体，絶縁材料、２２Ｃ  導電性編紐，編紐、２７  本体、２８  ノブ、３３  ハウジング、３３Ａ  行程端停止部、３４  封止リング、３６  ピストン状接触器，接触器、３７  静止部分、３７Ａ  シリンダ状素子，導電性素子、３８  移動部分，突出素子，相補的な手段、４１  接触素子，キャビティ、４１Ａ  第１案内部分，第１部分、４１Ｂ  第２接触部分，第２部分、４２  可撓性薄膜、４６  自由空間、Ｘ’  軸
【図１】
2013529363.tif 000004
【図２】
2013529363.tif 000005
【図３】
2013529363.tif 000006
【図４】
2013529363.tif 000007
【図５】
2013529363.tif 000008
【図６】
2013529363.tif 000009
【図７】
2013529363.tif 000010
【国際調査報告】
2013529363.tif 000011
2013529363.tif 000012
2013529363.tif 000013
2013529363.tif 000014